(57)【要約】【課題】飛灰処理用の薬液が高粘性の薬液であっても、その高粘性薬液の流量を知るのに、フロート式流量計を使用できるようすること。【解決手段】混練機４により飛灰と飛灰処理用の薬液とを混練して、飛灰中の重金属類の溶出防止がなされた飛灰処理物を生成するために前記混練機４に飛灰処理用の薬液を供給する飛灰処理用薬液供給方法において、混練機４に供給する飛灰処理用の第１の薬液を貯留する第１の薬液貯槽１０１、混練機４に供給する飛灰処理用の高粘性薬液を貯留する第２の薬液貯槽１０２、及び混練機４に供給する希釈水を貯留する希釈水貯槽１０３を設け、第１の薬液貯槽１０１から送出され、第１のフロート式流量計１０６を通した第１の薬液と、第２の薬液貯槽１０２から送出される高粘性薬液とを合流させて、混練機４に連絡する管路Ｌ１０１に設けられた第２のフロート式流量計１０８へ導くようにする。【選択図】図１
2008272547.tif 000002
【特許請求の範囲】
【請求項１】
混練機により飛灰と飛灰処理用の薬液とを混練して、飛灰中の重金属類の溶出防止がなされた飛灰処理物を生成するために前記混練機に飛灰処理用の薬液を供給する飛灰処理用薬液供給方法において、
前記混練機に供給する飛灰処理用の第１の薬液を貯留する第１の薬液貯槽、前記混練機に供給する飛灰処理用の高粘性薬液を貯留する第２の薬液貯槽、及び前記混練機に供給する希釈水を貯留する希釈水貯槽を設け、前記第１の薬液貯槽から送出され、第１のフロート式流量計を通した第１の薬液と、前記第２の薬液貯槽から送出される高粘性薬液とを合流させて、前記混練機に連絡する管路に設けられた第２のフロート式流量計へ導くようにすることを特徴とする飛灰処理用薬液供給方法。
【請求項２】
混練機により飛灰と飛灰処理用の薬液とを混練して、飛灰中の重金属類の溶出防止がなされた飛灰処理物を生成するために前記混練機に飛灰処理用の薬液を供給する飛灰処理用薬液供給方法において、
前記混練機に供給する飛灰処理用の第１の薬液を貯留する第１の薬液貯槽、前記混練機に供給する飛灰処理用の高粘性薬液を貯留する第２の薬液貯槽、及び前記混練機に供給する希釈水を貯留する希釈水貯槽を設け、前記希釈水貯槽から送出され、第１のフロート式流量計を通した希釈水と、前記第２の薬液貯槽から送出される高粘性薬液とを合流させて、前記混練機に連絡する管路に設けられた第２のフロート式流量計へ導くようにすることを特徴とする飛灰処理用薬液供給方法。
【請求項３】
混練機により飛灰と飛灰処理用の薬液とを混練して、飛灰中の重金属類の溶出防止がなされた飛灰処理物を生成するために前記混練機に飛灰処理用の薬液を供給する飛灰処理用薬液供給方法において、
前記混練機に供給する希釈水を貯留する希釈水貯槽、及び前記混練機に供給する飛灰処理用の高粘性薬液を貯留する薬液貯槽を設け、前記希釈水貯槽から送出され、第１のフロート式流量計を通した希釈水と、前記薬液貯槽から送出される高粘性薬液とを合流させて、前記混練機に連絡する管路に設けられた第２のフロート式流量計へ導くようにすることを特徴とする飛灰処理用薬液供給方法。
【請求項４】
混練機により飛灰と飛灰処理用の薬液とを混練して、飛灰中の重金属類の溶出防止がなされた飛灰処理物を生成するために前記混練機に飛灰処理用の薬液を供給する飛灰処理用薬液供給装置において、
前記混練機に供給する飛灰処理用の第１の薬液を貯留する第１の薬液貯槽、前記混練機に供給する飛灰処理用の高粘性薬液を貯留する第２の薬液貯槽、及び前記混練機に供給する希釈水を貯留する希釈水貯槽を備え、前記第１の薬液貯槽から送出され、第１のフロート式流量計を通した第１の薬液と、前記第２の薬液貯槽から送出される高粘性薬液とを合流させて、前記混練機に連絡する管路に設けられた第２のフロート式流量計へ導くように構成していることを特徴とする飛灰処理用薬液供給装置。
【請求項５】
混練機により飛灰と飛灰処理用の薬液とを混練して、飛灰中の重金属類の溶出防止がなされた飛灰処理物を生成するために前記混練機に飛灰処理用の薬液を供給する飛灰処理用薬液供給装置において、
前記混練機に供給する飛灰処理用の第１の薬液を貯留する第１の薬液貯槽、前記混練機に供給する飛灰処理用の高粘性薬液を貯留する第２の薬液貯槽、及び前記混練機に供給する希釈水を貯留する希釈水貯槽を備え、前記希釈水貯槽から送出され、第１のフロート式流量計を通した希釈水と、前記第２の薬液貯槽から送出される高粘性薬液とを合流させて、前記混練機に連絡する管路に設けられた第２のフロート式流量計へ導くように構成していることを特徴とする飛灰処理用薬液供給装置。
【請求項６】
混練機により飛灰と飛灰処理用の薬液とを混練して、飛灰中の重金属類の溶出防止がなされた飛灰処理物を生成するために前記混練機に飛灰処理用の薬液を供給する飛灰処理用薬液供給装置において、
前記混練機に供給する希釈水を貯留する希釈水貯槽、及び前記混練機に供給する飛灰処理用の高粘性薬液を貯留する薬液貯槽を備え、前記希釈水貯槽から送出され、第１のフロート式流量計を通した希釈水と、前記薬液貯槽から送出される高粘性薬液とを合流させて、前記混練機に連絡する管路に設けられた第２のフロート式流量計へ導くように構成していることを特徴とする飛灰処理用薬液供給装置。
【発明の詳細な説明】
【技術分野】
【０００１】
本発明は、混練機により飛灰と飛灰処理用の薬液（液状薬剤）とを混練して、飛灰中の重金属類の溶出防止がなされた飛灰処理物を生成するために前記混練機に飛灰処理用の薬液を供給する飛灰処理用薬液供給方法及び飛灰処理用薬液供給装置に関するものである。
【背景技術】
【０００２】
ごみ焼却施設でごみの焼却に伴って発生する排ガス中には飛灰が含まれている。この排ガス中から分離された飛灰は、最終的には埋め立て処理される。しかし飛灰が重金属類（鉛、カドミウム、水銀、六価クロム、砒素、及びセレンなど）を含有する場合には、飛灰を埋め立てた後に雨水などで重金属類が溶出するおそれがあるため、これらの重金属が溶出しないように、飛灰処理用の薬液によって飛灰を前もって処理して、飛灰中の重金属類の溶出防止がなされた飛灰処理物とする必要がある。なお、飛灰は、ごみ焼却施設の廃熱ボイラ、ガス冷却室（減温塔）などで捕集された「ばいじん」、及び集じん灰（集じん施設（バクフィルタなど）によって捕集された「ばいじん」）を総称したものである。
【０００３】
そのため、ごみ焼却施設には、混練機により飛灰と飛灰処理用の薬液とを混練することにより、飛灰中の重金属類の溶出防止がなされた飛灰処理物を生成する飛灰処理設備が備えられている。
【０００４】
この飛灰処理設備における飛灰処理用薬液供給装置では、混練機に例えば２種類の薬液を供給可能な装置の場合、飛灰処理用の第１の薬液を貯留する第１の薬液貯槽と、飛灰処理用の第２の薬液を貯留する第２の薬液貯槽とが備えられている。そして、第１のフロート式流量計を有して前記第１の薬液貯槽から混練機に連絡する第１の管路により、混練機に第１の薬液を供給するとともに、前記第１のフロート式流量計によって第１の薬液の供給流量を測定するようにしている。また、第２のフロート式流量計を有して前記第２の薬液貯槽から前記混練機に連絡する第２の管路により、前記混練機に第２の薬液を供給するとともに、前記第２のフロート式流量計によって第２の薬液の供給流量を測定するようにしている。
【０００５】
このように、飛灰処理用薬液供給装置では、薬液の供給流量の測定に、フロート式流量計が使用されている。図４はフロート式流量計を説明のために示すその正面図である。
【０００６】
フロート式流量計５０は、図４に示すように、テーパー管５１内にフロート５２を配置し、下方から上方に流体、この場合薬液を流すことにより、薬液の流速によってフロート５２の上昇位置が異なることを利用して、薬液の流量を測定するものである。
【０００７】
詳しくは、テーパー管５１は、鉛直に延びて上方に行くにしたがって直径が若干ではあるが漸次増大された逆円錐台筒形状をなしており、透明あるいは半透明材料、例えばガラスあるいは適宜の合成樹脂からなっている。このテーパー管５１内にはその中心を鉛直方向（上下方向）に延びる案内ロッド５３が配設されており、この案内ロッド５３には、案内ロッド５３に沿って鉛直方向に昇降自在にフロート５２が装着されている。フロート５２は、上方に向かって直径が若干ではあるが漸次増大された逆円錐台形状である。また、テーパー管５１の外周面には流量を示す目盛り部５４が付されている。そして、薬液貯槽から混練機に連絡する管路に対して、テーパー管５１の下端部側が上流側接続部５５となされ、テーパー管５１の上端部側が下流側接続部５６となされている。
【０００８】
このフロート式流量計は、使い易く故障がなく安価であるという利点をあることから、飛灰処理用薬液供給装置では、汎用的に広く使用されている。
【０００９】
ところが、飛灰処理用の薬液として、液体キレート剤などの一般に広く使用されている薬液の粘度は、１０ｍＰａ・ｓ以下程度の範囲であるが、粘度が１００ｍＰａ・ｓ以上のような高粘性の薬液を使用する場合には、フロート式流量計では、高粘性のため、テーパー管底部近傍の内周面にフロートがくっつくこととなって、フロートがスムーズに動かず、前記のような利点を持つフロート式流量計が使用できないという心配がある。
【００１０】
【特許文献１】特開２００５−５２７７６号公報（図１）
【発明の開示】
【発明が解決しようとする課題】
【００１１】
そこで、本発明の課題は、混練機により飛灰と飛灰処理用の薬液とを混練して、飛灰中の重金属類の溶出防止がなされた飛灰処理物を生成するために前記混練機に飛灰処理用の薬液を供給するに際し、飛灰処理用の薬液が高粘性の薬液であっても、その高粘性薬液の流量を知るのに、フロート式流量計を使用できるようにした、飛灰処理用薬液供給方法及び飛灰処理用薬液供給装置を提供することにある。
【課題を解決するための手段】
【００１２】
前記の課題を解決するため、本願発明では、次の技術的手段を講じている。
【００１３】
請求項１の発明は、混練機により飛灰と飛灰処理用の薬液とを混練して、飛灰中の重金属類の溶出防止がなされた飛灰処理物を生成するために前記混練機に飛灰処理用の薬液を供給する飛灰処理用薬液供給方法において、前記混練機に供給する飛灰処理用の第１の薬液を貯留する第１の薬液貯槽、前記混練機に供給する飛灰処理用の高粘性薬液を貯留する第２の薬液貯槽、及び前記混練機に供給する希釈水を貯留する希釈水貯槽を設け、前記第１の薬液貯槽から送出され、第１のフロート式流量計を通した第１の薬液と、前記第２の薬液貯槽から送出される高粘性薬液とを合流させて、前記混練機に連絡する管路に設けられた第２のフロート式流量計へ導くようにすることを特徴とする飛灰処理用薬液供給方法である。
【００１４】
請求項２の発明は、混練機により飛灰と飛灰処理用の薬液とを混練して、飛灰中の重金属類の溶出防止がなされた飛灰処理物を生成するために前記混練機に飛灰処理用の薬液を供給する飛灰処理用薬液供給方法において、前記混練機に供給する飛灰処理用の第１の薬液を貯留する第１の薬液貯槽、前記混練機に供給する飛灰処理用の高粘性薬液を貯留する第２の薬液貯槽、及び前記混練機に供給する希釈水を貯留する希釈水貯槽を設け、前記希釈水貯槽から送出され、第１のフロート式流量計を通した希釈水と、前記第２の薬液貯槽から送出される高粘性薬液とを合流させて、前記混練機に連絡する管路に設けられた第２のフロート式流量計へ導くようにすることを特徴とする飛灰処理用薬液供給方法である。
【００１５】
請求項３の発明は、混練機により飛灰と飛灰処理用の薬液とを混練して、飛灰中の重金属類の溶出防止がなされた飛灰処理物を生成するために前記混練機に飛灰処理用の薬液を供給する飛灰処理用薬液供給方法において、前記混練機に供給する希釈水を貯留する希釈水貯槽、及び前記混練機に供給する飛灰処理用の高粘性薬液を貯留する薬液貯槽を設け、前記希釈水貯槽から送出され、第１のフロート式流量計を通した希釈水と、前記薬液貯槽から送出される高粘性薬液とを合流させて、前記混練機に連絡する管路に設けられた第２のフロート式流量計へ導くようにすることを特徴とする飛灰処理用薬液供給方法である。
【００１６】
請求項４の発明は、混練機により飛灰と飛灰処理用の薬液とを混練して、飛灰中の重金属類の溶出防止がなされた飛灰処理物を生成するために前記混練機に飛灰処理用の薬液を供給する飛灰処理用薬液供給装置において、前記混練機に供給する飛灰処理用の第１の薬液を貯留する第１の薬液貯槽、前記混練機に供給する飛灰処理用の高粘性薬液を貯留する第２の薬液貯槽、及び前記混練機に供給する希釈水を貯留する希釈水貯槽を備え、前記第１の薬液貯槽から送出され、第１のフロート式流量計を通した第１の薬液と、前記第２の薬液貯槽から送出される高粘性薬液とを合流させて、前記混練機に連絡する管路に設けられた第２のフロート式流量計へ導くように構成していることを特徴とする飛灰処理用薬液供給装置である。
【００１７】
請求項５の発明は、混練機により飛灰と飛灰処理用の薬液とを混練して、飛灰中の重金属類の溶出防止がなされた飛灰処理物を生成するために前記混練機に飛灰処理用の薬液を供給する飛灰処理用薬液供給装置において、前記混練機に供給する飛灰処理用の第１の薬液を貯留する第１の薬液貯槽、前記混練機に供給する飛灰処理用の高粘性薬液を貯留する第２の薬液貯槽、及び前記混練機に供給する希釈水を貯留する希釈水貯槽を備え、前記希釈水貯槽から送出され、第１のフロート式流量計を通した希釈水と、前記第２の薬液貯槽から送出される高粘性薬液とを合流させて、前記混練機に連絡する管路に設けられた第２のフロート式流量計へ導くように構成していることを特徴とする飛灰処理用薬液供給装置である。
【００１８】
請求項６の発明は、混練機により飛灰と飛灰処理用の薬液とを混練して、飛灰中の重金属類の溶出防止がなされた飛灰処理物を生成するために前記混練機に飛灰処理用の薬液を供給する飛灰処理用薬液供給装置において、前記混練機に供給する希釈水を貯留する希釈水貯槽、及び前記混練機に供給する飛灰処理用の高粘性薬液を貯留する薬液貯槽を備え、前記希釈水貯槽から送出され、第１のフロート式流量計を通した希釈水と、前記薬液貯槽から送出される高粘性薬液とを合流させて、前記混練機に連絡する管路に設けられた第２のフロート式流量計へ導くように構成していることを特徴とする飛灰処理用薬液供給装置である。
【発明の効果】
【００１９】
請求項１の飛灰処理用薬液供給方法又は請求項３の飛灰処理用薬液供給装置は、第１の薬液貯槽から送出され、第１のフロート式流量計を通した第１の薬液と、第２の薬液貯槽から送出される高粘性薬液とを合流させて、混練機に連絡する管路に設けられた第２のフロート式流量計へ導くようにしている。
【００２０】
したがって、第２のフロート式流量計には、第１の薬液と高粘性薬液とが合流した混合薬液であって、第１の薬液との合流によって前記高粘性薬液よりも粘性を低下させた混合薬液が導入されるので、第２のフロート式流量計では、フロートがテーパー管底部近傍の内周面にくっつくことなくスムーズに動く。よって、第２のフロート式流量計の測定値（目盛り値）Ｓｔから、第１のフロート式流量計によって測定された第１の薬液の流量Ｓ１を差し引くことで、第２の薬液貯槽からの高粘性薬液の流量Ｓ２を知ることができて、飛灰処理用の薬液が高粘性の薬液であっても、その高粘性薬液の流量Ｓ２を知るのに、使い易く故障がなく安価という利点を持つフロート式流量計を使用することができる。
【００２１】
請求項２の飛灰処理用薬液供給方法又は請求項５の飛灰処理用薬液供給装置は、希釈水貯槽から送出され、第１のフロート式流量計を通した希釈水と、第２の薬液貯槽から送出される高粘性薬液とを合流させて、混練機に連絡する管路に設けられた第２のフロート式流量計へ導くようにしている。
【００２２】
したがって、第２のフロート式流量計には、希釈水と高粘性薬液とが合流した混合薬液であって、希釈水との合流によって前記高粘性薬液よりも粘性が低下した薬液が導入されるので、第２のフロート式流量計では、フロートがテーパー管底部近傍の内周面にくっつくことなくスムーズに動く。よって、第２のフロート式流量計の測定値（目盛り値）Ｓｔ’から、第１のフロート式流量計によって測定された希釈水の流量Ｓ１’の値を差し引くことで、第２の薬液貯槽からの高粘性薬液の流量Ｓ２’を知ることができて、飛灰処理用の薬液が高粘性の薬液であっても、その高粘性薬液の流量Ｓ２’を知るのに、使い易く故障がなく安価という利点を持つフロート式流量計を使用することができる。
【００２３】
請求項３の飛灰処理用薬液供給方法又は請求項６の飛灰処理用薬液供給装置は、希釈水貯槽から送出され、第１のフロート式流量計を通した希釈水と、薬液貯槽から送出される高粘性薬液とを合流させて、混練機に連絡する管路に設けられた第２のフロート式流量計へ導くようにしている。
【００２４】
したがって、第２のフロート式流量計には、希釈水と高粘性薬液とが合流した混合薬液であって、希釈水との合流によって前記高粘性薬液よりも粘性が低下した薬液が導入されるので、第２のフロート式流量計では、フロートがテーパー管底部近傍の内周面にくっつくことなくスムーズに動く。よって、第２のフロート式流量計の測定値（目盛り値）Ｓｔ”から、第１のフロート式流量計によって測定された希釈水の流量Ｓ１”の値を差し引くことで、薬液貯槽からの高粘性薬液の流量Ｓ２”を知ることができて、飛灰処理用の薬液が高粘性の薬液であっても、その高粘性薬液の流量Ｓ２”を知るのに、使い易く故障がなく安価という利点を持つフロート式流量計を使用することができる。
【発明を実施するための最良の形態】
【００２５】
以下、図面を参照して本発明の実施形態について説明する。図１は本発明の一実施形態による飛灰処理用薬液供給装置を示す概略構成図である。
【００２６】
ごみ焼却施設には、混練機により飛灰と飛灰処理用の薬液とを混練することにより、飛灰中の重金属類の溶出防止がなされた飛灰処理物を生成する飛灰処理設備が備えられており、飛灰処理用薬液供給装置は、この飛灰処理設備を構成する装置のひとつである。
【００２７】
図１において、１は飛灰貯留槽であり、２は飛灰搬送コンベヤであって、ごみ焼却施設における廃熱ボイラ、ガス冷却室（減温塔）及びバクフィルタなどで捕集された飛灰を前記飛灰貯留槽１へ搬送する。３は飛灰貯留槽１からの飛灰の定量切り出し、定量供給を行う飛灰定量供給装置としてのテーブルフィーダであり、４はテーブルフィーダ３によって飛灰が定量供給され、飛灰と飛灰処理用の薬液とを希釈水とともに混練する混練機である。５は搬出コンベヤ、６はこの例では飛灰処理物ピットである。混練後の飛灰処理物は、飛灰処理物ピット６での固着防止のため搬出コンベヤ５上で自然養生された後に、飛灰処理物ピット６に貯留されるようになっている。
【００２８】
次に、飛灰処理用薬液供給装置１００について説明する。
【００２９】
図１において、１０１は混練機４に供給する飛灰処理用の第１の薬液を貯留する第１の薬液貯槽、１０２は混練機４に供給する飛灰処理用の高粘性薬液を貯留する第２の薬液貯槽、１０３は混練機４に供給する希釈水を貯留する希釈水貯槽である。第１の薬液貯槽１０１には、代表的な飛灰処理用薬液である液体キレート剤（粘度：１０ｍＰａ・ｓ  ａｔ２５℃）が貯留され、第２の薬液貯槽１０２には、例えばスラリー状薬液で粘度が１００〜１０００ｍＰａ・ｓ（ａｔ２５℃）の高粘性の薬液が貯留される。
【００３０】
そして、この実施形態では第１の薬液貯槽１０１から混練機４に管路（供給ライン）Ｌ１０１が連絡し、この管路Ｌ１０１には、上流側から順に、ポンプ１０４、開閉弁１０５、第１のフロート式流量計１０６、逆止弁１０７、第２のフロート式流量計１０８及び逆止弁１０９が設けられている。また、第２の薬液貯槽１０２から管路Ｌ１０２が前記管路Ｌ１０１における逆止弁１０７と第２のフロート式流量計１０８との間に連絡し、この管路Ｌ１０２には上流側から順に、ポンプ１１０と開閉弁１１１が設けられている。
【００３１】
また、希釈水貯槽１０３から混練機４に管路Ｌ１０３が連絡し、この管路Ｌ１０１には、上流側から順に、ポンプ１１２、開閉弁１１３、フロート式流量計１１４及び逆止弁１１５が設けられている。
【００３２】
このように、この実施形態の飛灰処理用薬液供給装置１００は、第１の薬液貯槽１０１から送出され、第１のフロート式流量計１０６を通した第１の薬液と、第２の薬液貯槽１０２から送出される高粘性薬液とを合流させて、混練機４に連絡する管路Ｌ１０１に設けられた第２のフロート式流量計１０８へ導くように構成されている。
【００３３】
したがって、第２のフロート式流量計１０８には、第１の薬液と第２の薬液貯槽１０２からの高粘性薬液とが合流した混合薬液であって、第１の薬液との合流によって前記高粘性薬液よりも粘性を低下させた混合薬液が導入されるので、第２のフロート式流量計１０８では、フロートがテーパー管底部近傍の内周面にくっつくことなくスムーズに動く。よって、第２のフロート式流量計１０８の測定値（目盛り値）Ｓｔから、第１のフロート式流量計１０６によって測定された第１の薬液の流量Ｓ１を差し引くことで、第２の薬液貯槽１０２からの高粘性薬液の流量Ｓ２を知ることができて、飛灰処理用の薬液が高粘性の薬液であっても、その高粘性薬液の流量Ｓ２を知るのに、使い易く故障がなく安価という利点を持つフロート式流量計１０８，１０６を使用することができる。
【００３４】
図２は本発明の他の実施形態による飛灰処理用薬液供給装置を示す概略構成図である。
【００３５】
図２に示すように、この実施形態では希釈水貯槽２０３から混練機４に管路Ｌ２０１が連絡し、この管路Ｌ２０１には、上流側から順に、ポンプ２０４、開閉弁２０５、第１のフロート式流量計２０６、逆止弁２０７、第２のフロート式流量計２０８及び逆止弁２０９が設けられている。また、第２の薬液貯槽２０２から管路Ｌ２０２が前記管路Ｌ２０１における逆止弁２０７と第２のフロート式流量計２０８との間に連絡し、この管路Ｌ２０２には上流側から順に、ポンプ２１０と開閉弁２１１が設けられている。
【００３６】
また、第１の薬液貯槽２０１から混練機４に管路Ｌ２０３が連絡し、この管路Ｌ２０３には、上流側から順に、ポンプ２１２、開閉弁２１３、フロート式流量計２１４及び逆止弁２１５が設けられている。
【００３７】
このように、この実施形態の飛灰処理用薬液供給装置２００は、希釈水貯槽２０３から送出され、第１のフロート式流量計２０６を通した希釈水と、第２の薬液貯槽２０２から送出される高粘性薬液とを合流させて、混練機４に連絡する管路Ｌ２０１に設けられた第２のフロート式流量計２０８へ導くように構成されている。
【００３８】
したがって、第２のフロート式流量計２０８には、希釈水と第２の薬液貯槽２０２からの高粘性薬液とが合流した混合薬液であって、希釈水との合流によって前記高粘性薬液よりも粘性が低下した薬液が導入されるので、第２のフロート式流量計２０８では、フロートがテーパー管底部近傍の内周面にくっつくことなくスムーズに動く。よって、第２のフロート式流量計２０８の測定値（目盛り値）Ｓｔ’から、第１のフロート式流量計２０６によって測定された希釈水の流量Ｓ１’の値を差し引くことで、第２の薬液貯槽２０２からの高粘性薬液の流量Ｓ２’を知ることができて、飛灰処理用の薬液が高粘性の薬液であっても、その高粘性薬液の流量Ｓ２’を知るのに、使い易く故障がなく安価という利点を持つフロート式流量計２０８，２０６を使用することができる。
【００３９】
図３は本発明の他の実施形態による飛灰処理用薬液供給装置を示す概略構成図である。
【００４０】
図３に示すように、この実施形態では希釈水貯槽３０２から混練機４に管路Ｌ３０１が連絡し、この管路Ｌ３０１には、上流側から順に、ポンプ３０３、開閉弁３０４、第１のフロート式流量計３０５、逆止弁３０６、第２のフロート式流量計３０７及び逆止弁３０８が設けられている。また、薬液貯槽３０１から管路Ｌ３０２が前記管路Ｌ３０１における逆止弁３０６と第２のフロート式流量計３０７との間に連絡し、この管路Ｌ３０２には上流側から順に、ポンプ３０９と開閉弁３１０が設けられている。
【００４１】
このように、この実施形態の飛灰処理用薬液供給装置３００は、希釈水貯槽か３０２ら送出され、第１のフロート式流量計３０５を通した希釈水と、薬液貯槽３０１から送出される高粘性薬液とを合流させて、混練機４に連絡する管路Ｌ３０１に設けられた第２のフロート式流量計３０７へ導くようにしている。
【００４２】
したがって、第２のフロート式流量計３０７には、希釈水と薬液貯槽３０１からの高粘性薬液とが合流した混合薬液であって、希釈水との合流によって前記高粘性薬液よりも粘性が低下した薬液が導入されるので、第２のフロート式流量計３０７では、フロートがテーパー管底部近傍の内周面にくっつくことなくスムーズに動く。よって、第２のフロート式流量計３０７の測定値（目盛り値）Ｓｔ”から、第１のフロート式流量計３０５によって測定された希釈水の流量Ｓ１”の値を差し引くことで、薬液貯槽３０１からの高粘性薬液の流量Ｓ２”を知ることができて、飛灰処理用の薬液が高粘性の薬液であっても、その高粘性薬液の流量Ｓ２”を知るのに、使い易く故障がなく安価という利点を持つフロート式流量計３０７，３０５を使用することができる。
【図面の簡単な説明】
【００４３】
【図１】本発明の一実施形態による飛灰処理用薬液供給装置を示す概略構成図である。
【図２】本発明の他の実施形態による飛灰処理用薬液供給装置を示す概略構成図である。
【図３】本発明の他の実施形態による飛灰処理用薬液供給装置を示す概略構成図である。
【図４】フロート式流量計を説明のために示すその正面図である。
【符号の説明】
【００４４】
１…飛灰貯留槽
４…混練機
１０１…第１の薬液貯槽
１０２…第２の薬液貯槽
１０３…希釈水貯槽
１０４，１１０，１１２…ポンプ
１０６…第１のフロート式流量計
１０８…第２のフロート式流量計
１１４…フロート式流量計
Ｌ１０１，Ｌ１０２，Ｌ１０３…管路
２０１…第１の薬液貯槽
２０２…第２の薬液貯槽
２０３…希釈水貯槽
２０４，２１０，２１２…ポンプ
２０６…第１のフロート式流量計
２０８…第２のフロート式流量計
２１４…フロート式流量計
Ｌ２０１，Ｌ２０２，Ｌ２０３…管路
３０１…薬液貯槽
３０２…希釈水貯槽
３０３，３０９…ポンプ
３０５…第１のフロート式流量計
３０７…第２のフロート式流量計
Ｌ３０１，Ｌ３０２…管路
【図１】
2008272547.tif 000003
【図２】
2008272547.tif 000004
【図３】
2008272547.tif 000005
【図４】
2008272547.tif 000006